(57)【要約】      （修正有）【課題】海上、陸上または河川輸送に用いられる輸送貨物コンテナに定温コンテナの機能を与えることができる取り付け容易で安価な内張りおよび断熱装置を提供する。【解決手段】装置は、装着すべきコンテナの内部寸法に応じた寸法を有する直方体状の本体から構成される。本体は、その端部２の一方が開口しており、ＰＥシートが接着手段を用いて取り付けられている金属被覆ＰＥＴシートによって形成され、本体をコンテナの側壁に固定するための伸縮式ロッド８が収容される一連の袋状収容部を有する。本体は、本体と同じ材料の、カバーの開口を密閉し、これによりコンテナの開口を密閉するよう構成されるロールアップ・シートで補完される。ロールアップ・シートは、面ファスナータイプの接着テープ、ジッパー手段、鉤ホック、または他の手段を用いて、コンテナの開口部３に固定可能である。【選択図】図３
0003219191.tif 000002
【実用新案登録請求の範囲】
【請求項１】
海上輸送、陸上輸送または河川輸送において用いられるタイプの輸送貨物コンテナの内張りおよび断熱のための装置であって、
装着すべきコンテナの内部寸法に応じた寸法を有する直方体状の本体（１）を有し、
前記本体は、その端部（２）の一方が開口しているとともに、ポリエチレンシートが接着手段を用いて取り付けられている金属被覆ポリエチレン・テレフタレート・シートによって形成されており、
前記本体は、該本体をコンテナの側壁に移動しないように固定するための伸縮式ロッド（８）が収容される一連の袋状収容部（７）を有し、
前記本体は、該本体と同じ材料の、前記本体の開口部を密閉し、これによりコンテナの開口部を密閉するよう構成されるロールアップ・シート（１０）で補完され、
前記ロールアップ・シートは、面ファスナータイプの接着テープ（１１）、ジッパー手段、鉤ホック、または他の通常の手段を用いて、前記開口部（３）に固定可能であること、
を特徴とする輸送貨物コンテナの内張りおよび断熱のための装置。
【請求項２】
前記装置に、その側面をコンテナの側面に固定するための磁石が設けられていることを特徴とする、
請求項１に記載の輸送貨物コンテナの内張りおよび断熱のための装置。
【考案の詳細な説明】
【技術分野】
【０００１】
本発明は、海上輸送、陸上輸送または河川輸送において用いられるタイプの輸送貨物コンテナの内張りおよび断熱のために特に設計された装置に関する。
【背景技術】
【０００２】
特定の食用製品などある種の商品の輸送には定温コンテナがよく用いられ、前記製品が輸送の際に劣化するのを防止している。
このタイプのコンテナに関する問題は、海上輸送、陸上輸送または河川輸送において用いられる従来の輸送貨物コンテナよりもかなり高価であることにある。
【考案の概要】
【考案が解決しようとする課題】
【０００３】
したがって、本発明は、従来の輸送コンテナに定温コンテナの機能を与えてその従来の輸送コンテナを用いることを可能にする、取り付けが容易で安価な断熱要素を提供することを目的とする。
【課題を解決するための手段】
【０００４】
輸送貨物コンテナの内張りおよび断熱のための装置は、迅速に、簡単に、かつコスト効率良く、従来の貨物コンテナに定温コンテナの機能を与えることができる。
このために、本発明の装置は、取り付けられるコンテナの内部寸法に応じた寸法を有する、ポリエチレン（ＰＥ）シートが接着手段を用いて取り付けられる金属被覆（アルミニウム）ポリエチレン・テレフタレート（ＰＥＴ）シートから形成されるタイプのカバーから構成される。
【０００５】
したがって、前記カバーは、細長い直方体状構造を有し、その開口部は、巻き上げることができかつ広げることができるとともに使用の状況においてコンテナへの出入り（アクセス）のための実際の扉と対応するシートによって塞がれる。前記シートは、面ファスナー（ベルクロ（登録商標））タイプの接着テープ、鉤ホック（ｈｏｏｋｓ  ａｎｄ  ｅｙｅｓ）、ジッパー等の安定化保持手段を有する。
【０００６】
カバーは、コンテナの幅と一致する短辺の一つに対応する回転軸で適切に巻き上げられて配送される。カバーには、一連の収容部が組み込まれる。一連の収容部には、伸縮式（テレスコピック）ロッドが収容される。伸縮式ロッドがコンテナの側部と当接するまで伸びることによって、カバーが安定状態にされるとともに完全に引き伸ばされる。ロッドは、内側（オス）および外側（メス）の伸縮用要素の両方に連結される内部バネを用いて伸ばされる。
【０００７】
カバーにおけるロッドとロッドのための収容部とのこのアッセンブリは、水平方向の短い側のカバーの縁部に限定されない。それよりもむしろ、装置を良好に固定するために、追加の要素を特に天井に固定するよう構成される面に備えることができる。
【０００８】
この効果のために、コンテナの壁に磁気固定しやすくするよう、カバーの外面上に磁石を組み込むことが想定され、これにより、コンテナの内面へのカバーの固定および適当な装着が向上する。
【０００９】
したがって、装置を、コンテナの床に容易に広げることができ、コンテナの平面寸法にぴったり合わすことができ、次に伸縮式ロッドを通じて装置を移動しないように固定でき、その後、前記カバーを上下方向に開き、適当な伸縮式ロッドを通じて天井に対して装置を安定状態とすることができ、そして上述の磁石を用いてポケットの形成を防止することができる。カバーは、コンテナの荷積み扉の領域に対応する前部において開口しており、前記コンテナに荷積みが行われると前記開口部に関連する密閉シートが巻き解かれ前記接着テープまたはジッパーを用いて密閉されることになり、こうしてアッセンブリは断熱される。
【００１０】
このように、従来のコンテナに定温コンテナの機能を与えることができる十分に効果的で、取り付けが容易で、安価な装置が得られる。
先の記載を補足するために、例示的で限定するものではない観点から本発明の対象を詳細に説明するために用いる以下の図面を参照しながら説明を行う。
【図面の簡単な説明】
【００１１】
【図１】組み立ての第一段階における本発明の対象によって形成される輸送貨物コンテナの内張りおよび断熱のための装置の斜視図を示す。
【図２】第一段階における、図１の装置が適用されて、コンテナの床に迅速にかつ簡単に広げられた、従来のコンテナの斜視図を示す。
【図３】図２と同様な図であるが、コンテナの床面上に安定状態としたカバーを前記コンテナの天井に対して適切に安定状態とするよう開かれた組み立ての次の段階にある図を示す。
【図４】カバーが適切に安定状態とされており、荷積み開口部を形成するとともにコンテナの荷積み扉と一致している密閉シートが、アクセスを容易にするよう部分的に巻き上げられているコンテナの前面斜視図を示す。
【考案を実施するための形態】
【００１２】
上述の図面を参照して、コンテナの内張り（インナーライニング）および断熱のための装置が、長い直方体状の本体（１）からどのように構成されるかが理解されよう。本体（１）では、内部にカバーが取り付けられるコンテナ（５）のアクセス用の扉（４）が配置される開口部（３）に対応する、端部（２）の一方が開口している。該カバーは、ポリエチレン（ＰＥ）シートが接着手段を用いて取り付けられている金属被覆（アルミニウム）ポリエチレン・テレフタレート（ＰＥＴ）シートから形成される。
【００１３】
図１から分かる通り、カバー（１）は、図２に示す通りコンテナ（５）の幅に対応する幅である短い側の辺の一つの周囲に適切に巻き上げられて提供される。
前記図２では、装置は、床を完全に覆うまでコンテナの床（６）上で容易に巻き解かれる。前記カバーは、重要な点に、伸縮式ロッド（８）が収容されている袋状収容部（ハウジング）（７）を有している。伸縮式ロッドは、内部バネの張力に抗して作用し、前記カバーに対して想定されている異なる固定点でカバーを固定し安定状態としている。
【００１４】
この意味で、図３に示す通り、カバーを巻き解く前に床に対して安定状態とするときには、前記カバーはその側壁に沿って蛇腹状に折り畳まれており、そして上下方向に開かれることになり、適当な伸縮式ロッド（８）を用いてコンテナ（５）の天井に対して安定状態とされる。ロッドは、直方体の短い辺に対応させてのみ配置することができるのではなく、中間点であっても前記固定を行いやすくするのに貢献する。
【００１５】
このために、そしてカバーの側壁を好ましく安定状態とするために、磁石（９）の使用も想定される。磁石（９）が適切に配置されることで、コンテナの内張りにポケットが形成されなくなる。
【００１６】
この意味で、図４では、カバーはそれ自体、コンテナの六面のうちの五つの面を覆い断熱している。カバーは、コンテナの開口部を密閉するよう構成される、カバーと同じ材料のロールアップ（巻き上げ）シート（１０）で補完される。ロールアップ・シートは、面ファスナー（ベルクロ（登録商標））タイプの接着テープ（１１）、ジッパー手段、鉤ホックまたは他の通常の手段を用いて、前記開口部（３）に固定され、熱がアッセンブリにおいて完全に維持される。
【符号の説明】
【００１７】
１  本体
２  端部
３  開口部
４  扉
５  コンテナ
６  床
７  収容部
８  伸縮式ロッド
９  磁石
１０  ロールアップ・シート
１１  接着テープ
【図１】
0003219191.tif 000003
【図２】
0003219191.tif 000004
【図３】
0003219191.tif 000005
【図４】
0003219191.tif 000006